(57)【要約】【課題】  信号を埋め込む処理を必要としないことにより、画質の劣化要因を排除するとともに、映像配信方式が限定されることなく、所定の端末が通信回線網を介して受信した映像情報に基づいて再生される映像が乱れていないかを管理することができる映像品質管理システム、及び、映像品質管理方法を提供する。【解決手段】  映像情報の品質を管理する映像品質管理システムが、所定の映像配信装置によって通信回線網を介して配信される映像情報の特徴を表す複数の一次数値を抽出する第１の一次数値抽出部と、所定の端末が通信回線網を介して受信した映像情報の特徴を表す複数の一次数値を抽出する第２の一次数値抽出部と、第１の一次数値抽出部及び第２の一次数値抽出部によって抽出された一次数値を比較する比較部と、比較部による比較の結果を出力する出力部とを具備する。【選択図】  図２
2005109750.tif 000002
【特許請求の範囲】
【請求項１】
画像信号及び音声信号を含む映像情報が所定の映像配信装置から所定の端末に通信回線網を介して配信された際に、該映像情報の品質を管理する映像品質管理システムであって、
前記所定の映像配信装置によって通信回線網を介して配信される前記映像情報の特徴を表す複数の一次数値を抽出する第１の一次数値抽出部と、
前記所定の端末が通信回線網を介して受信した前記映像情報の特徴を表す複数の一次数値を抽出する第２の一次数値抽出部と、
前記第１の一次数値抽出部及び前記第２の一次数値抽出部によって抽出された前記一次数値を比較する比較部と、
前記比較部による比較の結果を出力する出力部とを具備することを特徴とする映像品質管理システム。
【請求項２】
前記第１の一次数値抽出部及び前記第２の一次数値抽出部は、前記映像情報から輝度信号スペクトル又は色信号スペクトルの少なくとも一つを抽出し、抽出した各スペクトルの二次元空間分布パターンを前記一次数値として抽出することを特徴とする請求項１に記載の映像品質管理システム。
【請求項３】
前記第１の一次数値抽出部及び前記第２の一次数値抽出部は、前記映像情報から音声信号スペクトルを抽出し、抽出した該音声信号スペクトルの一次元空間分布パターンを前記一次数値として抽出することを特徴とする請求項１又は請求項２に記載の映像品質管理システム。
【請求項４】
前記所定の映像配信装置によって通信回線網を介して配信される前記映像情報が異なる種類の前記映像情報に切り替わったタイミングを示す第１の同期情報を抽出する第１の同期情報抽出部と、
前記所定の端末が通信回線網を介して受信した前記映像情報が異なる種類の前記映像情報に切り替わったタイミングを示す第２の同期情報を抽出する第２の同期情報抽出部とを具備し、
前記比較部は、前記第１の同期情報及び前記第２の同期情報に基づいて、前記一次数値を比較することを特徴とする請求項１乃至請求項３のいずれかに記載の映像品質管理システム。
【請求項５】
画像信号及び音声信号を含む映像情報が所定の映像配信装置から所定の端末に通信回線網を介して配信された際に、該映像情報の品質を管理する映像品質管理方法であって、
前記所定の端末に通信回線網を介して配信される前記映像情報の特徴を表す複数の一次数値を抽出する工程Ａと、
前記所定の端末が通信回線網を介して受信した前記映像情報の特徴を表す複数の一次数値を抽出する工程Ｂと、
前記工程Ａ及び前記工程Ｂにおいて抽出された前記一次数値を比較する工程Ｃと、
前記工程Ｃにおける比較の結果を出力する工程Ｄとを具備することを特徴とする映像品質管理方法。
【発明の詳細な説明】
【技術分野】
【０００１】
本発明は、画像信号及び音声信号を含む映像情報が所定の映像配信装置から所定の端末に通信回線網を介して配信された際に、該映像情報の品質を管理する映像品質管理システム、及び、映像品質管理方法に関する。特に、本発明は、通信回線網を介して配信された広告映像情報の品質を管理する映像品質管理システム、及び、映像品質管理方法に関する。
【背景技術】
【０００２】
従来、所定の端末が通信回線網を介して所定の映像配信装置から受信した映像情報（以下、配信後映像情報）の品質を管理する方法としては、該配信後映像情報に基づいて再生される映像を担当者が目視検査すること、及び、配信信号計測装置によって計測された値を担当者が監視することによって、該映像が所定の映像配信装置によって配信される映像情報（以下、原映像情報）に基づいて再生される映像に比べ劣化していないかを管理する方法（以下、人員監視検査方法）が知られている（例えば、非特許文献１）。
【０００３】
しかしながら、近年、通信回線網を介して所定の映像配信装置から所定の端末に配信される映像情報の数が飛躍的に増大し、ランダムに発生する映像情報の配信要求に応じて（オンデマンドで）配信される映像情報を常に監視する必要があるため、上述の人員監視検査方法では、目視検査や配信信号計測装置によって計測された値の監視に必要とされる作業量が増大してしまうという問題があった。
【０００４】
この問題を解決する方法として、原映像情報に埋め込まれた画像劣化監視信号が、配信後映像情報から分離されるとともに解析されることによって、配信後映像情報に基づいて再生される映像が予定された品質で再生されているか否かを管理する方法（以下、埋め込み画像劣化監視信号法）が知られている（非特許文献２）。
【非特許文献１】映像情報メディア学会編、「デジタル放送局システムのしくみ」、オーム社出版局、2001年11月，P87〜P88
【非特許文献２】“Video Research Information”、[online]、平成13年6月25日、Video Research Ltd.、[平成15年9月5日検索]、インターネット<URL:http://www.videor.co.jp/press/2001/010625_3.htm>
【発明の開示】
【発明が解決しようとする課題】
【０００５】
しかしながら、上述の埋め込み画像劣化監視信号法では、画像劣化監視信号が映像情報に埋め込まれるため、信号を埋め込む処理が必要となる、及び、データレートが低い映像配信方式の場合に（映像配信方式によっては）、画質の劣化が発生する場合があるという問題があった。
【０００６】
そこで、本発明は、上述の問題を解決すべくなされたものであり、信号を埋め込む処理を必要としないことにより、画質の劣化要因を排除するとともに、映像配信方式が限定されることなく、配信後映像情報に基づいて再生される映像が乱れていないか（原映像情報に基づいて再生される映像に比べて劣化していないか）を管理することができる映像品質管理システム、及び、映像品質管理方法を提供することを目的とする。
【課題を解決するための手段】
【０００７】
本発明の第１の特徴は、画像信号及び音声信号を含む映像情報が所定の映像配信装置から所定の端末に通信回線網を介して配信された際に、該映像情報の品質を管理する映像品質管理システムが、所定の映像配信装置によって通信回線網を介して配信される映像情報の特徴を表す複数の一次数値を抽出する第１の一次数値抽出部と、所定の端末が通信回線網を介して受信した映像情報の特徴を表す複数の一次数値を抽出する第２の一次数値抽出部と、第１の一次数値抽出部及び第２の一次数値抽出部によって抽出された一次数値を比較する比較部と、比較部による比較の結果を出力する出力部とを具備することを要旨とする。
【０００８】
かかる特徴によれば、映像品質管理システムが、所定の映像配信装置によって通信回線網を介して配信される映像情報（以下、原映像情報）の特徴を表す一次数値と所定の端末が通信回線網を介して受信した映像情報（以下、配信後映像情報）の特徴を表す複数の一次数値とを比較した結果を出力することにより、映像品質管理システムは、信号を埋め込む処理を必要としないことにより、画質の劣化要因を排除するとともに、映像配信方式が限定されることなく、配信後映像情報に基づいて再生される映像が乱れていないか（原映像情報に基づいて再生される映像と比べて劣化していないか）を管理することができる。
【０００９】
また、映像品質管理システムは、目視検査や配信信号計測装置によって計測された値の監視を必要とせずに、配信後映像情報に基づいて再生される映像が乱れていないかを管理することができる。
【００１０】
また、本発明の第１の特徴において、第１の一次数値抽出部及び第２の一次数値抽出部が、映像情報から輝度信号スペクトル又は色信号スペクトルの少なくとも一つを抽出し、抽出した各スペクトルの二次元空間分布パターンを一次数値として抽出することが好ましい。
【００１１】
さらに、本発明の第１の特徴において、第１の一次数値抽出部及び第２の一次数値抽出部が、映像情報から音声信号スペクトルを抽出し、抽出した該音声信号スペクトルの一次元空間分布パターンを一次数値として抽出することが好ましい。
【００１２】
また、本発明の第１の特徴において、所定の映像配信装置によって通信回線網を介して配信される映像情報が異なる種類の映像情報に切り替わったタイミングを示す第１の同期情報を抽出する第１の同期情報抽出部と、所定の端末が通信回線網を介して受信した映像情報が異なる種類の映像情報に切り替わったタイミングを示す第２の同期情報を抽出する第２の同期情報抽出部とを映像品質管理システムが具備し、比較部が、第１の同期情報及び第２の同期情報に基づいて、一次数値を比較することが好ましい。
【００１３】
本発明の第２の特徴は、画像信号及び音声信号を含む映像情報が所定の映像配信装置から所定の端末に通信回線網を介して配信された際に、該映像情報の品質を管理する映像品質管理方法が、所定の映像配信装置によって通信回線網を介して配信される映像情報の特徴を表す複数の一次数値を抽出する工程Ａと、所定の端末が通信回線網を介して受信した映像情報の特徴を表す複数の一次数値を抽出する工程Ｂと、工程Ａ及び工程Ｂにおいて抽出された一次数値を比較する工程Ｃと、工程Ｃにおける比較の結果を出力する工程Ｄとを具備することを要旨とする。
【発明の効果】
【００１４】
本発明によれば、信号を埋め込む処理を必要としないことにより、画質の劣化要因を排除するとともに、映像配信方式が限定されることなく、配信後映像情報に基づいて再生される映像が乱れていないか（原映像情報に基づいて再生される映像と比べて劣化していないか）を確認することができる映像品質管理システム、及び、映像品質管理方法を提供することができる。
【発明を実施するための最良の形態】
【００１５】
本発明における映像品質管理システムは、所定の映像配信装置によって通信回線網を介して配信される映像情報（以下、原映像情報）から抽出された一次数値と所定の端末が通信回線網を介して受信した映像情報（以下、配信後映像情報）から抽出された一次数値とを比較した結果を出力することによって、配信後映像情報の品質を管理するための装置である。なお、本発明における映像品質管理システムは、特に、所定の端末に配信された広告映像情報の品質を管理するために用いると好適である。
【実施例１】
【００１６】
（映像品質管理システムの構成）
以下において、本実施例における映像品質管理システムについて図面を参照しながら説明する。図１は、本実施例における映像品質管理システム３０が適用される環境を示す図である。
【００１７】
図１に示すように、映像品質管理システム３０は、サーバ１０から再生端末２０にネットワーク４０を介して配信される映像情報（原映像情報）をサーバ１０から取得するとともに、再生端末２０がネットワーク４０を介して受信した映像情報（配信後映像情報）を再生端末２０から取得する。なお、映像品質管理システム３０は、サーバ１０及び再生端末２０とＬＡＮなどによって接続され、サーバ１０及び再生端末２０から劣化することなく映像情報を取得するものとする。
【００１８】
サーバ１０は、映像情報（例えば、広告映像情報）を、ネットワーク４０を介して再生端末２０に配信する映像配信装置である。
【００１９】
再生端末２０は、ネットワーク４０を介して受信した配信後映像情報に基づいて映像を再生する端末である。なお、再生端末２０は、予め指定された情報（映像情報の配信期間、映像情報を取得するチャネル（又は、アドレス）、映像情報に基づいて映像を再生するためのブラウザなど）に基づいて映像を再生する。また、再生端末２０は、配信後映像情報に基づいて映像を再生することができない場合には、そのことを示すエラー情報を映像品質管理システム３０に送信する。
【００２０】
映像品質管理システム３０は、再生端末２０が受信した配信後映像情報の品質を管理するシステムである。具体的には、以下に示す通りである。
【００２１】
図２は、本実施例における映像品質管理システム３０の構成を示すブロック図である。図２に示すように、映像品質管理システム３０は、原映像情報取得部３０１と、原映像情報数値化部３０２と、同期情報抽出部３０３と、位置情報抽出部３０４と、原映像情報数値化情報蓄積部３０５と、配信後映像情報取得部３０６と、配信後映像情報数値化部３０７と、同期情報抽出部３０８と、配信後映像情報数値化情報蓄積部３０９と、比較映像情報同期調整部３１０と、色信号取得部３１１と、色信号比較部３１２と、輝度信号取得部３１３と、輝度信号比較部３１４と、音声信号取得部３１５と、音声信号比較部３１６と、比較結果出力部３１７とを具備する。
【００２２】
原映像情報取得部３０１は、原映像情報をサーバ１０から取得する。ここで、原映像情報取得部３０１は、再生端末２０に原映像情報が配信された後に、該原映像情報を履歴映像情報として取得してもよく、再生端末２０に原映像情報が配信される前に、該原映像情報を予定映像情報として取得してもよい。
【００２３】
原映像情報数値化部３０２は、原映像情報の特徴を表すデータを抽出し、数値化するものである。
【００２４】
具体的には、原映像情報数値化部３０２は、原映像情報から輝度信号スペクトル及び色信号スペクトルを抽出し、抽出した各スペクトルの二次元空間分布パターンを一次数値として抽出する。
【００２５】
ここで、輝度信号スペクトルの特徴である「二次元空間分布パターン」は、一画面内における輝度信号スペクトル強度の違いを二次元座標で数値化した数値の分布パターンである。
【００２６】
色信号スペクトルの特徴である「二次元空間分布パターン」は、一画面内における色信号スペクトル強度の違いを二次元座標で数値化した数値の分布パターンである。
【００２７】
また、原映像情報数値化部３０２は、原映像情報から音声信号スペクトルを抽出し、抽出した音声信号スペクトルの一次元空間分布パターンを一次数値として抽出する。
【００２８】
ここで、音声信号スペクトルの特徴である「一次元空間分布パターン」は、音声信号スペクトル（音声周波数ごとの強度）の変化に基づいて算出した数値の時間軸上の分布パターンである。
【００２９】
同期情報抽出部３０３は、原映像情報が異なる種類の原映像情報に切り替わったタイミングを示す同期情報を抽出する。なお、同期情報抽出部３０３は、原映像情報数値化部３０２によって抽出された一次数値（数値化された各データ）に基づいて、同期情報を抽出するものとする。
【００３０】
ここで、「同期情報」は、映像情報（例えば、複数の商品に関する広告映像情報）が異なる種類の映像情報（例えば、複数の商品の中から選択された所定の商品に関する広告映像情報）に切り替わったタイミング（時刻やフレーム数）などを示す情報である。
【００３１】
なお、映像情報が異なる種類の映像情報に切り替わる場合とは、再生端末２０における所定の操作（例えば、マウスによるクリック）によって、映像情報の種類が切り替えられる場合などである。
【００３２】
位置情報抽出部３０４は、位置情報を原映像情報から抽出する。なお、位置情報抽出部３０４は、原映像情報数値化部３０２によって抽出された一次数値（数値化された各データ）に基づいて、位置情報を抽出するものとする。ここで、位置情報とは、原映像情報に基づいて再生される映像のサイズ、画面内における該映像の表示位置などを示す情報である。また、位置情報抽出部３０４は、抽出した位置情報を配信後映像情報取得部３０６に送信する。
【００３３】
原映像情報数値化情報蓄積部３０５は、原映像情報から一次数値として抽出された各データを単位時間毎に関連付けて記憶する。具体的には、以下に示す通りである。図３（ａ）は、原映像情報数値化部３０２によって抽出された一次数値（数値化された各データ）を示す図である。原映像情報数値化情報蓄積部３０５は、一次数値（例えば、データａ１〜データｃ１）を単位時間（例えば、単位時間１）毎に関連付けて記憶する。このとき、原映像情報数値化情報蓄積部３０５は、同期情報抽出部３０３によって抽出された同期情報（例えば、データｄ）を単位時間（例えば、単位時間２）に関連付けて記憶する。
【００３４】
配信後映像情報取得部３０６は、位置情報抽出部３０４から受信した位置情報に基づいて、配信後映像情報を再生端末２０から取得する。
【００３５】
配信後映像情報数値化部３０７は、配信後映像情報の特徴を表すデータを抽出し、数値化するものである。なお、配信後映像情報数値化部３０７における処理は、原映像情報数値化部３０２における処理と同じであるため、具体的な説明は省略する。
【００３６】
同期情報抽出部３０８は、配信後映像情報が異なる種類の配信後映像情報に切り替わったタイミングを示す同期情報を抽出する。なお、同期情報抽出部３０８は、配信後映像情報数値化部３０７によって抽出された一次数値（数値化された各データ）に基づいて、同期情報を抽出するものとする。
【００３７】
配信後映像情報数値化情報蓄積部３０９は、配信後映像情報から一次数値として抽出された各データを単位時間毎に関連付けて記憶する。具体的には、以下に示す通りである。図３（ｂ）は、配信後映像情報数値化部３０７によって抽出された一次数値（数値化された各データ）を示す図である。図３（ｂ）に示すように、配信後映像情報数値化情報蓄積部３０９は、一次数値（例えば、データＡ１〜データＣ１）を単位時間（例えば、単位時間１）毎に関連付けて記憶する。このとき、配信後映像情報数値化情報蓄積部３０９は、同期情報抽出部３０８によって抽出された同期情報（例えば、データＤ）を単位時間（例えば、単位時間３）に関連付けて記憶する。
【００３８】
比較映像情報同期調整部３１０は、原映像情報数値化情報蓄積部３０５及び配信後映像情報数値化情報蓄積部３０９に記憶されている同期情報（例えば、データｄ及びデータＤ）に基づいて、比較の対象とするべきデータの同期をとる。また、比較映像情報同期調整部３１０は、比較の対象とするべきデータの同期をとることができない場合には、そのことを示すエラー情報を比較結果出力部３１７に送信する。
【００３９】
色信号取得部３１１は、原映像情報数値化情報蓄積部３０５及び配信後映像情報数値化情報蓄積部３０９に記憶されている色信号スペクトルの二次元空間分布パターンを取得する。
【００４０】
色信号比較部３１２は、色信号取得部３１１によって取得された色信号スペクトルの二次元空間分布パターンを単位時間毎に比較する。なお、色信号比較部３１２は、比較映像情報同期調整部３１０によって同期がとられた色信号スペクトルの二次元空間分布パターンを比較するものとする。
【００４１】
輝度信号取得部３１３は、原映像情報数値化情報蓄積部３０５及び配信後映像情報数値化情報蓄積部３０９に記憶されている輝度信号スペクトルの二次元空間分布パターンを取得する。
【００４２】
輝度信号比較部３１４は、輝度信号取得部３１３によって取得された輝度信号スペクトルの二次元空間分布パターンを単位時間毎に比較する。なお、輝度信号比較部３１４は、比較映像情報同期調整部３１０によって同期がとられた輝度信号スペクトルの二次元空間分布パターンを比較するものとする。
【００４３】
音声信号取得部３１５は、原映像情報数値化情報蓄積部３０５及び配信後映像情報数値化情報蓄積部３０９に記憶されている音声信号スペクトルの一次元空間分布パターンを取得する。
【００４４】
音声信号比較部３１６は、音声信号取得部３１５によって取得された音声信号スペクトルの一次元空間分布パターンを単位時間毎に比較する。なお、音声信号比較部３１６は、比較映像情報同期調整部３１０によって同期がとられた音声信号スペクトルの一次元空間分布パターンを比較するものとする。
【００４５】
比較結果出力部３１７は、色信号比較部３１２及び輝度信号比較部３１４及び音声信号比較部３１６による比較結果を出力する。また、比較結果出力部３１７は、再生端末２０及び比較映像情報同期調整部３１０からエラー情報を受信した場合には、該エラー情報を出力する。なお、比較結果出力部３１７は、比較結果を所定の端末の画面上やプリンタなどに出力する。
【００４６】
ここで、比較結果とは、原映像情報数値化部３０２によって一次数値として抽出された各データと配信後映像情報数値化部３０７によって抽出された各データとがどの程度相違しているか（差分）を数値化したデータ、各データの差分が所定の閾値を超えているか否かを示すデータ（例えば、差分が所定の閾値を超えている場合には「ＮＧ」、差分が所定の閾値を超えていない場合には「ＯＫ」）、各データの差分が所定の閾値を超えている単位時間がどのくらいあるかを示すデータなどである。
【００４７】
ネットワーク４０は、サーバ１０と再生端末２０とを接続するものであり、例えば、インターネットなどである。
【００４８】
なお、本実施例において、原映像情報数値化部３０２は、所定の映像配信装置（サーバ１０）によって通信回線網（ネットワーク４０）を介して配信される映像情報（原映像情報）の特徴を表す複数の一次数値を抽出する第１の一次数値抽出部を構成する。
【００４９】
また、本実施例において、配信後映像情報数値化部３０７は、所定の端末（再生端末２０）が通信回線網（ネットワーク４０）を介して受信した映像情報（配信後映像情報）の特徴を表す複数の一次数値を抽出する第２の一次数値抽出部を構成する。
【００５０】
さらに、本実施例において、色信号比較部３１２及び輝度信号比較部３１４及び音声信号比較部３１６は、第１の一次数値抽出部（原映像情報数値化部３０２）及び第２の一次数値抽出部（配信後映像情報数値化部３０７）によって抽出された一次数値を比較する比較部を構成する。
【００５１】
また、本実施例において、比較結果出力部３１７は、比較部（色信号比較部３１２及び輝度信号比較部３１４及び音声信号比較部３１６）による比較の結果を出力する出力部を構成する。
【００５２】
さらに、本実施例において、同期情報抽出部３０３は、所定の映像配信装置（サーバ１０）によって通信回線網（ネットワーク４０）を介して配信される映像情報が異なる種類の映像情報に切り替わったタイミングを示す第１の同期情報を抽出する第１の同期情報抽出部を構成する。
【００５３】
また、本実施例において、同期情報抽出部３０８は、所定の端末（再生端末２０）が通信回線網（ネットワーク４０）を介して受信した映像情報が異なる種類の映像情報に切り替わったタイミングを示す第２の同期情報を抽出する第２の同期情報抽出部を構成する。
【００５４】
（映像品質管理システムの動作）
以下において、本実施例における映像品質管理システムの動作について、図面を参照しながら説明する。図４及び図５は、本実施例における映像品質管理システム３０の動作を示すフロー図である。
【００５５】
図４に示すように、ステップ１０において、映像品質管理システム３０の原映像情報取得部３０１は、原映像情報を取得する。
【００５６】
ステップ２０において、映像品質管理システム３０の原映像情報数値化部３０２は、ステップ１０で取得した原映像情報の特徴を表すデータを抽出し、数値化する。具体的には、以下に示す通りである。
【００５７】
図５に示すように、ステップ２０−１〜ステップ２０−３において、原映像情報数値化部３０２は、ステップ１０で取得した原映像情報から輝度信号スペクトルと色信号スペクトルと音声信号スペクトルとを抽出する。
【００５８】
ステップ２０−４〜ステップ２０−６において、原映像情報数値化部３０２は、ステップ２０−１〜ステップ２０−３で抽出した各情報について、二次元空間分布パターン（又は、一次元空間分布パターン）を一次数値として抽出する。また、原映像情報数値化情報蓄積部３０５は、原映像情報数値化部３０２によって一次数値として抽出された各データを単位時間毎に関連付けて記憶する。
【００５９】
ステップ３０において、映像品質管理システム３０の位置情報抽出部３０４は、ステップ２０で抽出された一次数値（数値化された各データ）に基づいて、位置情報を抽出する。また、位置情報抽出部３０４は、抽出した位置情報を配信後映像情報取得部３０６に送信する。
【００６０】
ステップ４０において、映像品質管理システム３０の同期情報抽出部３０３は、ステップ２０で抽出された一次数値（数値化された各データ）に基づいて、原映像情報が異なる原映像情報に切り替わったタイミングを示す同期情報を抽出する。また、原映像情報数値化情報蓄積部３０５は、同期情報を単位時間に関連付けて記憶する。
【００６１】
ステップ５０において、映像品質管理システム３０の配信後映像情報取得部３０６は、位置情報抽出部３０４から受信した位置情報に基づいて、再生端末２０から配信後映像情報を取得する。
【００６２】
ステップ６０において、映像品質管理システム３０の配信後映像情報数値化部３０７は、ステップ５０で取得した配信後映像情報の特徴を表すデータを抽出し、数値化する。なお、ステップ６０における配信後映像情報数値化部３０７の処理は、ステップ２０−１〜ステップ２０−６と同様であるため、ここでは省略する。また、配信後映像情報数値化情報蓄積部３０９は、配信後映像情報数値化部３０７によって一次数値として抽出された各データを単位時間毎に関連付けて記憶する。
【００６３】
ステップ７０において、映像品質管理システム３０の同期情報抽出部３０８は、ステップ６０で抽出された一次数値（数値化された各データ）に基づいて、配信後映像情報が異なる配信後映像情報に切り替わったタイミングを示す同期情報を抽出する。また、配信後映像情報数値化情報蓄積部３０９は、同期情報を単位時間に関連付けて記憶する。
【００６４】
ステップ８０において、映像品質管理システム３０の比較映像情報同期調整部３１０は、原映像情報数値化情報蓄積部３０５及び配信後映像情報数値化情報蓄積部３０９に記憶されている同期情報に基づいて、比較の対象とするべきデータの同期をとる。なお、比較映像情報同期調整部３１０は、比較の対象とするべきデータの同期をとることができない場合には、そのことを示すエラー情報を比較結果出力部３１７に送信する。また、映像品質管理システム３０の色信号比較部３１２及び輝度信号比較部３１４及び音声信号比較部３１６は、原映像情報数値化情報蓄積部３０５及び配信後映像情報数値化情報蓄積部３０９に記憶されている各データを単位時間毎に比較する。
【００６５】
ステップ９０において、映像品質管理システム３０の比較結果出力部３１７は、色信号比較部３１２及び輝度信号比較部３１４及び音声信号比較部３１６による比較結果を出力する。また、比較結果出力部３１７は、再生端末２０又は比較映像情報同期調整部３１０からエラー情報を受信した場合には、該エラー情報を出力する。
【００６６】
（映像品質管理システムの作用、及び、効果）
本実施例における映像品質管理システム３０によれば、映像品質管理システム３０が、原映像情報及び配信後映像情報から抽出した輝度信号スペクトル及び色信号スペクトルの二次元空間分布パターン、及び、原映像情報及び配信後映像情報から抽出した音声信号スペクトルの一次元空間分布パターンを比較した結果を出力することにより、映像品質管理システム３０は、信号を埋め込む処理を必要としないことにより、画質の劣化要因を排除するとともに、映像配信方式が限定されることなく、配信後映像情報に基づいて再生される映像が乱れていないか（原映像情報に基づいて再生される映像と比べて劣化していないか）を管理することができる。
【００６７】
また、映像品質管理システム３０が、原映像情報及び配信後映像情報から抽出した同期情報に基づいて、比較の対象とするべきデータの同期をとることにより、映像情報が異なる種類の映像情報に切り替わった場合であっても、比較の対象とするべきデータを比較することができる。
【実施例２】
【００６８】
以下において、サーバ１０から再生端末２０に配信される原映像情報が予定された通りに配信されているか否か、及び、所定の操作（所定の映像が表示されているときに、所定のボタンをクリックするマウス操作など）に基づいて映像を切り替えるためのプログラム（以下、イベントプログラム）が正確に動作しているか否かを、上述の映像品質管理装置によって確認する方法について、図面を参照しながら説明する。なお、以下においては、上述の映像品質管理装置との相違点のみについて説明する。
【００６９】
図６は、実施例２における映像品質管理システム３０の構成を示すブロック図である。図６に示すように、映像品質管理システム３０は、原映像情報取得部３０１と、原映像情報数値化部３０２と、原映像情報数値化情報蓄積部３０５と、配信後映像情報取得部３０６と、配信後映像情報数値化部３０７と、配信後映像情報数値化情報蓄積部３０９と、比較映像情報同期調整部３１０と、輝度信号取得部３１３と、輝度信号比較部３１４と、音声信号取得部３１５と、音声信号比較部３１６と、比較結果出力部３１７と、配信予定入力部３１８と、原映像再生制御部３１９と、配信後映像再生制御部３２０とを具備する。
【００７０】
配信予定入力部３１８には、配信開始日時、配信終了日時、映像情報を取得するチャンネル（又は、アドレス）、映像情報に基づいて映像を再生する方式、イベントプログラムを動作させるタイミングを示すイベント情報などを含む映像配信予定情報が入力される。なお、映像配信予定情報には、所定の期間（キャンペーン期間など）においてのみ配信される映像情報に関する配信期間（配信開始日時及び配信終了日時）が含まれているものとする。
【００７１】
原映像再生制御部３１９は、配信予定入力部３１８に入力された映像配信予定情報をサーバ１０に送信し、該映像配信予定情報に基づいてサーバ１０に原映像情報を配信させる。
【００７２】
配信後映像再生制御部３２０は、配信予定入力部３１８に入力された映像配信予定情報を再生端末２０に送信し、該映像配信予定情報に基づいて再生端末２０に配信後映像情報を受信させる。
【００７３】
以下において、実施例２における映像品質管理システム３０の動作について、図面を参照しながら説明する。図７は、実施例２における映像品質管理システム３０の動作を示すフロー図である。
【００７４】
図７に示すように、ステップ１１０において、映像品質管理システム３０の配信予定入力部３１８に、映像配信予定情報が入力される。また、原映像再生制御部３１９は、該映像配信予定情報に基づいてサーバ１０に原映像情報を配信させ、配信後映像再生制御部３２０は、該映像配信予定情報に基づいて再生端末２０に配信後映像情報を受信させる。
【００７５】
ステップ１２０において、映像品質管理システム３０の原映像情報取得部３０１は、原映像情報を取得する。
【００７６】
ステップ１３０において、映像品質管理システム３０の原映像情報数値化部３０２は、ステップ１２０で取得した原映像情報の特徴を表すデータを抽出し、数値化する。また、原映像情報数値化情報蓄積部３０５は、原映像情報数値化部３０２によって数値化された各データを単位時間毎に関連付けて記憶する。
【００７７】
ステップ１４０において、映像品質管理システム３０の配信後映像情報取得部３０６は、配信後映像情報を取得する。
【００７８】
ステップ１５０において、映像品質管理システム３０の配信後映像情報数値化部３０７は、ステップ１４０で取得した配信後映像情報の特徴を表すデータを抽出し、数値化する。配信後映像情報数値化情報蓄積部３０９は、配信後映像情報数値化部３０７によって数値化された各データを単位時間毎に関連付けて記憶する。
【００７９】
ステップ１６０において、映像品質管理システム３０の比較映像情報同期調整部３１０は、原映像情報数値化情報蓄積部３０５及び配信後映像情報数値化情報蓄積部３０９に、比較の対象とするべきデータが記憶されているか否かを確認する。また、比較映像情報同期調整部３１０は、配信予定入力部３１８に入力された映像配信予定情報に含まれるイベント情報に基づいて、比較の対象とするべきデータの同期をとる。さらに、映像品質管理システム３０の輝度信号比較部３１４及び音声信号比較部３１６は、原映像情報数値化情報蓄積部３０５及び配信後映像情報数値化情報蓄積部３０９に記憶されている各データを比較する。
【００８０】
ステップ１７０において、映像品質管理システム３０の比較結果出力部３１７は、輝度信号比較部３１４及び音声信号比較部３１６による比較結果を出力する。
【００８１】
なお、実施例２においては、映像品質管理システム３０は、色信号スペクトルの二次空間分布パターンを比較しないように構成されているが、色信号スペクトルの二次空間分布パターンを比較するように構成されていてもよい。
【００８２】
実施例２における映像品質管理システム３０によれば、映像品質管理システム３０が、映像配信予定情報に基づいて配信される原映像情報及び該配信予定情報に基づいて受信される配信後映像情報から抽出された輝度信号スペクトルの二次空間分布パターン、及び、映像配信予定情報に基づいて配信される原映像情報及び該配信予定情報に基づいて受信される配信後映像情報から抽出された音声信号スペクトルの一次空間分布パターンを比較した結果を出力することにより、映像品質管理システム３０は、配信後映像情報に基づいて再生される映像が予定された通りに再生されているか否か、及び、イベントプログラムが正確に動作しているか否かを管理することができる。
【００８３】
なお、従来より、配信後映像情報に基づいて再生される映像を担当者が目視検査すること、及び、担当者がイベントプログラムの動作を確認することによって、配信後映像情報に基づいて再生される映像が予定された通りに再生されているか否か、及び、イベントプログラムが正確に動作しているか否かを確認する方法（以下、人員監視検査方法）が知られている。
【００８４】
また、原映像情報が配信される際に、該原映像情報に埋め込まれた映像識別情報が取得されることによって、原映像情報が予定された通りに配信されているか否かを確認する方法（以下、識別情報法）が知られている。
【００８５】
さらに、所定の端末が、イベントプログラムを動作させたタイミング（所定の映像が表示されているときに、所定のボタンをクリックするマウス操作が行われたタイミング）を示すイベント情報を所定の映像配信装置から取得するとともに記憶することによって、イベントプログラムが正確に動作しているか否かを確認する方法（以下、イベント情報取得法）が知られている。
【００８６】
しかしながら、通信回線網を介して所定の映像配信装置から所定の端末に配信される映像情報の数が飛躍的に増大し、ランダムに発生する映像情報の配信要求に応じて配信される映像情報を常に監視する必要があるため、上述の人員監視検査方法では、目視検査やイベントプログラムの動作の確認に必要とされる作業量が増大してしまうという問題があった。
【００８７】
また、上述の識別情報法では、映像情報の配信が予定通りに開始されたか否かを確認することができるにとどまり、配信後映像情報に基づいて再生される映像が予定通りに再生されているか否か、及び、映像情報の配信が予定通りに終了したか否かを確認することができないという問題があった。また、イベント情報取得法では、映像情報の配信要求があったことをもって、該映像情報が配信されたと類推されるにとどまり、配信後映像情報に基づいて再生される映像が予定通りに再生されているか否か、及び、映像情報の配信が予定通りに終了したか否かを確認することができないという問題があった。
【００８８】
実施例２における映像品質管理システム３０によれば、上述の通り、これらの問題を解決することができる。
【図面の簡単な説明】
【００８９】
【図１】実施例１における映像品質管理システム３０が適用される環境を示す図である。
【図２】実施例１における映像品質管理システム３０のブロック図を示す図である。
【図３】実施例１における原映像情報数値化部３０２及び配信後映像情報数値化部３０７によって抽出された各データを示す図である。
【図４】実施例１における映像品質管理システム３０の動作を示す図である（その１）。
【図５】実施例１における映像品質管理システム３０の動作を示す図である（その２）。
【図６】実施例２における映像品質管理システム３０のブロック図を示す図である。
【図７】実施例２における映像品質管理システム３０の動作を示す図である。
【符号の説明】
【００９０】
１０…サーバ、２０…再生端末、３０…品質管理システム、４０…ネットワーク、３０１…原映像情報取得部、３０２…原映像情報数値化部、３０３…同期情報抽出部、３０４…位置情報抽出部、３０５…原映像情報数値化情報蓄積部、３０６…配信後映像情報取得部、３０７…配信後映像情報数値化部、３０８…同期情報抽出部、３０９…配信後映像情報数値化情報蓄積部、３１０…比較映像情報同期調整部、３１１…色信号取得部、３１２…色信号比較部、３１３…輝度信号所得部、３１４…輝度信号比較部、３１５…音声信号取得部、３１６…音声信号比較部、３１７…比較結果出力部、３１８…配信予定入力部、３１９…原映像再生制御部、３２０…配信後映像再生制御部
【図１】
2005109750.tif 000003
【図２】
2005109750.tif 000004
【図３】
2005109750.tif 000005
【図４】
2005109750.tif 000006
【図５】
2005109750.tif 000007
【図６】
2005109750.tif 000008
【図７】
2005109750.tif 000009